(57)【特許請求の範囲】
【請求項１】
被写体を撮影して画像データを生成する撮像部と、
前記画像データに基づいて撮影シーンを認識する撮影シーン認識部と、
前記画像データを処理して当該撮影画像に特殊効果を付加した画像ファイルを生成する画像処理部と、
前記画像処理部で処理可能な複数の特殊効果から一の特殊効果を設定する特殊効果設定部と、
前記画像処理部で処理可能な複数の特殊効果と前記撮影シーン認識部で認識可能な複数の撮影シーンとの組合せの適合／不適合を含む撮影シーン組合せ情報を記憶する記憶部と、
前記記憶部に記憶されている前記撮影シーン組合せ情報に基づいて、前記特殊効果設定部で設定された特殊効果に対する前記撮影シーン認識部で認識された撮影シーンの適合／不適合を判定し、不適合と判定した場合に不適合報知をする不適合報知制御部と、
を備えることを特徴とする撮像装置。
【請求項２】
前記撮影シーン組合せ情報は、前記画像処理部で処理可能な特殊効果と前記撮影シーン認識部で認識可能な撮影シーンとの不適合な組合せの不適合理由を含み、
前記不適合報知制御部は、前記撮影シーン認識部で認識された撮影シーンが前記特殊効果設定部で設定された特殊効果に不適合の場合、前記記憶部に記憶されている対応する前記不適合理由を報知する、
ことを特徴とする請求項１に記載の撮像装置。
【請求項３】
入力操作を受け付ける操作入力部をさらに備え、
前記撮影シーン組合せ情報は、前記画像処理部で処理可能な特殊効果と前記撮影シーン認識部で認識可能な撮影シーンとの不適合な組合せの不適合理由を含み、
前記不適合報知制御部は、前記撮影シーン認識部で認識された撮影シーンが前記特殊効果設定部で設定された特殊効果に不適合の場合、前記操作入力部による所定の入力操作の受け付けに同期して、前記記憶部に記憶されている対応する前記不適合理由を報知する、
ことを特徴とする請求項１に記載の撮像装置。
【請求項４】
前記撮影シーン組合せ情報は、前記画像処理部で処理可能な特殊効果に対する推奨撮影シーンを含み、
前記不適合報知制御部は、前記撮影シーン認識部で認識された撮影シーンが前記特殊効果設定部で設定された特殊効果に不適合の場合、前記記憶部に記憶されている当該特殊効果に対する推奨撮影シーンを報知する、
ことを特徴とする請求項１に記載の撮像装置。
【請求項５】
前記画像処理部で生成される画像ファイルを記憶する画像ファイル記憶部をさらに備え、
前記不適合報知制御部は、前記撮影シーン認識部で認識された撮影シーンが前記特殊効果設定部で設定された特殊効果に不適合の場合、不適合を示す情報とともに当該画像ファイルを前記画像ファイル記憶部に記憶する、
ことを特徴とする請求項１に記載の撮像装置。
【請求項６】
通信インタフェースをさらに備え、
前記通信インタフェースを介して前記記憶部の前記撮影シーン組合せ情報を更新する、
ことを特徴とする請求項１に記載の撮像装置。
【請求項７】
記録媒体を着脱自在に装着する記録媒体装着部をさらに備え、
前記記録媒体装着部に装着された前記記録媒体から、当該記録媒体にダウンロードされた前記撮影シーン組合せ情報の更新情報を読み取って、前記記憶部の前記撮影シーン組合せ情報を更新する、
ことを特徴とする請求項１に記載の撮像装置。
【発明の詳細な説明】
【技術分野】
【０００１】
本発明は、撮像装置に関するものである。
【背景技術】
【０００２】
従来のデジタルカメラとして、ユーザがマニュアル等を参考にしなくても、簡単に操作が行えるようにするため、マニュアルの内容をカメラのメモリに記憶し、要求があった場合に、つまりヘルプモードにおいて、現在の状態における操作説明をカメラの表示部へ表示するようにしたものが知られている（例えば、特許文献１参照）。
【０００３】
一方、近年のデジタルカメラには、風景、人物、夜景、マクロ等の様々なシーンに合わせたシーンモードが実装されている。シーンモードは、ユーザ操作によって、シーン設定メニューからマニュアルで設定される場合もあるし、シーン認識機能の実装により、撮影中のライブ画像から自動的にシーンを認識して設定される場合もある。
【０００４】
また、近年では、画像処理技術の進歩および高速化に伴って、撮影画像の画像データに対して、例えばアートフィルタやマジックフィルタと称されている特殊なフィルタ処理（画像処理）を施すことにより、撮影者（ユーザ）の感性を反映させた特殊効果を確認しながら、所望の特殊効果を設定して撮影できるデジタルカメラも提案されている。
【０００５】
ここで、アートフィルタには、例えば、ポップアート、ファンタジックフォーカス、デイドリーム、ライトトーン、ラフモノクローム、トイフォト、ジオラマ、クロスプロセスと称されているもの等が知られている。ポップアートは、撮影画像をカラフルで鮮やかな元気な色の作風に仕上げるものである。ファンタジックフォーカスは、撮影画像をソフトフォーカス特有の幻想的な作風に仕上げるものである。デイドリームは、撮影画像を青く柔らかな光に満ちた旅行の作風に仕上げるものである。ライトトーンは、撮影画像を暗部もハイライト部も柔らかく描写して、上質で落ち着いた作風に仕上げるものである。ラフモノクロームは、撮影画像をモノクロ写真ならではの印象的な粗粒子写真の作風に仕上げるものである。トイフォトは、撮影画像をトイカメラで撮影したような周辺が減光された作風に仕上げるものである。ジオラマは、撮影画像を周辺のピントをぼかしておもちゃの世界のような作風に仕上げるものである。クロスプロセスは、撮影画像を予想外の発色と色の転びの非現実的な作風に仕上げるものである。
【０００６】
また、マジックフィルタには、例えば、ポップ、ピンホール、スケッチ、フィッシュアイと称されているもの等が知られている。ポップは、アートフィルタにおけるポップアートと同様に、撮影画像をカラフルで鮮やかな色の作風に仕上げるものである。ピンホールは、アートフィルタにおけるトイフォトと同様に、撮影画像をトイカメラで撮影したような周辺が減光された作風に仕上げるものである。スケッチは、撮影画像を輪郭が線画で描写された作風に仕上げるものである。フィッシュアイは、撮影画像を魚眼レンズで撮影したような作風に仕上げるものである。
【０００７】
また、他の特殊効果として、例えば、画像データのダイナミックレンジを拡大するダイナミックレンジ拡大効果（ＨＤＲ: High Dynamic Range）や、露光中にフォーカスを移動させて撮影する露光中フォーカス移動効果も知られている。
【先行技術文献】
【特許文献】
【０００８】
【特許文献１】特開２００４−１２８８２０号公報
【発明の概要】
【発明が解決しようとする課題】
【０００９】
ところで、フィルタ処理による特殊効果を設定する場合、ユーザは、撮影したいシーンに対して、それぞれの特殊効果による仕上がり状態を予測した上で、適切な特殊効果を設定する必要がある。そのためには、ユーザが特殊効果と撮影シーンとの適合性を把握する必要があり、ユーザの負担が大きくなる。その結果、ユーザは、特殊効果での撮影を避けることとなって、特殊効果による新しい表現というメリットを享受できないという問題が生じていた。また、特殊効果の選択を誤ると、シーンによっては期待した効果がかかった写真を撮影することができず、ユーザが満足できるような新しい表現の写真を撮影できないことがあった。
【００１０】
このような問題を解決する方法として、特許文献１に開示の技術を適用し、ヘルプモードにおいて、ユーザが設定した特殊効果に対応する適合撮影シーンを表示することが想定される。
【００１１】
しかしながら、この場合、ユーザは、特殊効果を設定してヘルプモードを選択する毎に、表示された適合撮影シーンを一時的に覚える必要がある。そのため、ユーザに負担を強いることになる。また、ユーザが、適合撮影シーンを忘れてしまったり、勘違いして覚えていたりした場合は、期待した効果がかかった写真を撮影することができないことになる。
【００１２】
したがって、かかる点に鑑みてなされた本発明の目的は、ユーザに負担をかけることなく、期待した効果がかかった写真を容易に撮影できる撮像装置を提供することにある。
【課題を解決するための手段】
【００１３】
上記目的を達成する第１の観点に係る撮像装置の発明は、
被写体を撮影して画像データを生成する撮像部と、
前記画像データに基づいて撮影シーンを認識する撮影シーン認識部と、
前記画像データを処理して当該撮影画像に特殊効果を付加した画像ファイルを生成する画像処理部と、
前記画像処理部で処理可能な複数の特殊効果から一の特殊効果を設定する特殊効果設定部と、
前記画像処理部で処理可能な複数の特殊効果と前記撮影シーン認識部で認識可能な複数の撮影シーンとの組合せの適合／不適合を含む撮影シーン組合せ情報を記憶する記憶部と、
前記記憶部に記憶されている前記撮影シーン組合せ情報に基づいて、前記特殊効果設定部で設定された特殊効果に対する前記撮影シーン認識部で認識された撮影シーンの適合／不適合を判定し、不適合と判定した場合に不適合報知をする不適合報知制御部と、
を備えることを特徴とするものである。
【００１４】
第２の観点に係る発明は、第１の観点に係る撮像装置において、
前記撮影シーン組合せ情報は、前記画像処理部で処理可能な特殊効果と前記撮影シーン認識部で認識可能な撮影シーンとの不適合な組合せの不適合理由を含み、
前記不適合報知制御部は、前記撮影シーン認識部で認識された撮影シーンが前記特殊効果設定部で設定された特殊効果に不適合の場合、前記記憶部に記憶されている対応する前記不適合理由を報知する、
ことを特徴とするものである。
【００１５】
第３の観点に係る発明は、第１の観点に係る撮像装置において、
入力操作を受け付ける操作入力部をさらに備え、
前記撮影シーン組合せ情報は、前記画像処理部で処理可能な特殊効果と前記撮影シーン認識部で認識可能な撮影シーンとの不適合な組合せの不適合理由を含み、
前記不適合報知制御部は、前記撮影シーン認識部で認識された撮影シーンが前記特殊効果設定部で設定された特殊効果に不適合の場合、前記操作入力部による所定の入力操作の受け付けに同期して、前記記憶部に記憶されている対応する前記不適合理由を報知する、
ことを特徴とするものである。
【００１６】
第４の観点に係る発明は、第１の観点に係る撮像装置において、
前記撮影シーン組合せ情報は、前記画像処理部で処理可能な特殊効果に対する推奨撮影シーンを含み、
前記不適合報知制御部は、前記撮影シーン認識部で認識された撮影シーンが前記特殊効果設定部で設定された特殊効果に不適合の場合、前記記憶部に記憶されている当該特殊効果に対する推奨撮影シーンを報知する、
ことを特徴とするものである。
【００１７】
第５の観点に係る発明は、第１の観点に係る撮像装置において、
前記画像処理部で生成される画像ファイルを記憶する画像ファイル記憶部をさらに備え、
前記不適合報知制御部は、前記撮影シーン認識部で認識された撮影シーンが前記特殊効果設定部で設定された特殊効果に不適合の場合、不適合を示す情報とともに当該画像ファイルを前記画像ファイル記憶部に記憶する、
ことを特徴とするものである。
【００１８】
第６の観点に係る発明は、第１の観点に係る撮像装置において、
通信インタフェースをさらに備え、
前記通信インタフェースを介して前記記憶部の前記撮影シーン組合せ情報を更新する、
ことを特徴とするものである。
【００１９】
第７の観点に係る発明は、第１の観点に係る撮像装置において、
記録媒体を着脱自在に装着する記録媒体装着部をさらに備え、
前記記録媒体装着部に装着された前記記録媒体から、当該記録媒体にダウンロードされた前記撮影シーン組合せ情報の更新情報を読み取って、前記記憶部の前記撮影シーン組合せ情報を更新する、
ことを特徴とするものである。
【発明の効果】
【００２０】
本発明に係る撮像装置によると、設定された特殊効果に対して撮影シーンが不適合の場合、不適合報知がなされる。これにより、ユーザは、撮影シーンを適合する撮影シーンに変更することが可能となる。したがって、ユーザは、特殊効果に適合する撮影シーンを覚えるという負担を強いられることなく、期待した効果がかかった写真を容易に撮影することが可能となる。
【図面の簡単な説明】
【００２１】
【図１】本発明の第１実施の形態に係る撮像装置の外観の概略構成を説明するための図である。
【図２】図１の撮像装置の内部の概略構成を示す機能ブロック図である。
【図３】図２に示す記憶部の撮影シーン組合せ情報格納領域に記憶される特殊効果と撮影シーンとの適合／不適合を含む撮影シーン組合せ情報の一例を示す図である。
【図４】図１の撮像装置の全体の概略動作を示すフローチャートである。
【図５】本発明の第２実施の形態に係る撮像装置の内部の概略構成を示す機能ブロック図である。
【発明を実施するための形態】
【００２２】
以下、本発明の実施の形態について、図を参照して説明する。
【００２３】
（第１実施の形態）
図１（ａ）および（ｂ）は、本発明の第１実施の形態に係る撮像装置の外観の概略構成を説明するための図である。この撮像装置１０は、いわゆる一眼のデジタルカメラであり、図１（ａ）に示すように、カメラボディ１１の前面に、撮影レンズ１２が交換可能に装着される。撮影レンズ１２は、例えば、標準レンズ、望遠レンズ、ズームレンズ、魚眼レンズ、ティルトレンズ、３６０度レンズ、ソフトフォーカスレンズ、撮像素子付レンズ、アナモフィックレンズ等の各種の撮影レンズからいずれか一つが装着される。これらの撮影レンズ１２には、その被写体側鏡筒端部に、各種の光学フィルタ１３が着脱可能となっている。
【００２４】
また、カメラボディ１１の天面には、コネクタ部（ホットシュー）１４、レリーズボタン１５ａおよび電源スイッチ１５ｂが設けられている。コネクタ部１４には、電子ビューファインダ（ＥＶＦ;Electronic View Finder）１６やストロボ装置１７が着脱可能に装着される。
【００２５】
さらに、図１（ｂ）に示すように、カメラボディ１１の背面には、ライブビュー画像、撮影画像、メニュー画面等を表示する表示部１８、ズーム操作スイッチ１９ａ、ヘルプボタン１９ｂ、表示部１８に表示されたメニュー画面に応じて撮影モードや再生モード、特殊効果設定等の各種の入力操作を行うタッチパネルからなる操作部２０等が設けられている。表示部１８は、ＬＣＤ（Liquid Crystal Display）パネルや有機ＥＬ（electro-luminescence）パネル等で構成される。なお、図１（ｂ）は、操作部２０が表示部１８上に配置されたタッチパネルで構成された場合を例示しているが、操作部２０はタッチパネルに限らず、十字キーやジョグキー等で構成して表示部１８と分離して設けられる場合もある。また、図示しないが、カメラボディ１１は、その底面において、三脚の雲台に着脱可能となっている。
【００２６】
図２は、図１に示した撮像装置の内部の概略構成を示す機能ブロック図である。カメラボディ１１は、全体の動作を制御するシステムコントローラ２１を備える。このシステムコントローラ２１には、撮像部２２、カードメモリ部２３、記憶部２４、三脚検出部２５、レンズコネクタ部２６が接続されている。また、上述したコネクタ部１４、レリーズボタン１５ａ、電源スイッチ１５ｂ、ズーム操作スイッチ１９ａ、ヘルプボタン１９ｂおよび操作部２０が接続されているとともに、表示駆動部２７を介して表示部１８が接続されている。
【００２７】
システムコントローラ２１は、撮像部２２からの出力に基づいて自動露出（ＡＥ）制御およびＡＦ制御を行うＡＥ制御部３１およびＡＦ制御部３２と、被写体像の画像データを生成する画像処理部３３との機能を有する。画像処理部３３は、被写体像の画像データに対して特殊効果に応じた所要のフィルタ処理を実行するフィルタ処理部３４の機能を有する。フィルタ処理部３４は、複数の特殊効果が実行可能であり、その中からユーザによって指定された特殊効果を実行する。
【００２８】
さらに、システムコントローラ２１は、操作部２０による入力操作によってフィルタ処理部３４で実行する特殊効果を設定する特殊効果設定部３５と、撮像部２２からの画像データに基づいて撮影シーンを認識する撮影シーン認識部３６と、記憶部２４に記憶されている後述する撮影シーン組合せ情報に基づいて、特殊効果設定部３５で設定された特殊効果に対する撮影シーン認識部３６で認識された撮影シーンの適合／不適合を判定し、不適合の場合に不適合報知をする不適合報知制御部３７と、の機能を有する。
【００２９】
撮像部２２は、ＣＣＤ（Charge Coupled Devices）やＣＭＯＳ（Complementary Metal Oxide Semiconductor）等の撮像素子、アナログ−デジタル変換回路等を有し、システムコントローラ２１の制御のもとに、撮影レンズ１２を介して撮影される被写体像を光電変換して、デジタル信号としてシステムコントローラ２１に供給する。そして、システムコントローラ２１は、処理した画像データをカードメモリ部２３に供給するとともに、表示駆動部２７を介して表示部１８に供給して表示する。
【００３０】
コネクタ部１４は、該コネクタ部１４に装着されたアクセサリの情報、すなわち電子ビューファインダ１６やストロボ装置１７の情報を取得するもので、その取得情報はシステムコントローラ２１に供給される。
【００３１】
カードメモリ部２３は、カード状の記録媒体（画像ファイル記憶部）を着脱自在に装着する記録媒体装着部を構成するもので、システムコントローラ２１の制御のもとに、撮影モードにおいては、レリーズボタン１５ａの操作により撮影された静止画像を画像ファイルとして記録媒体に記録する。また、再生モードにおいては、記録媒体に画像ファイルとして記録されている静止画像を、表示駆動部２７を介して表示部１８に表示する。
【００３２】
記憶部２４は、ＲＯＭおよびＲＡＭを有し、撮影プログラムを含む撮影動作に必要な各種のデータがＲＯＭに格納され、画像処理中の画像データがＲＡＭに一時的に格納される。また、例えば、カードメモリ部２３に記録媒体が装着されていない場合、撮影された画像の画像ファイルを格納する画像ファイル記憶部としても機能する。本実施の形態において、記憶部２４は、さらに、アクセサリ情報格納領域２４ａ、特殊効果情報格納領域２４ｂおよび撮影シーン組合せ情報格納領域２４ｃを有する。
【００３３】
アクセサリ情報格納領域２４ａには、装着下のアクセサリの情報、すなわち撮影レンズ１２、光学フィルタ１３、電子ビューファインダ１６、ストロボ装置１７、三脚３９等のアクセサリ情報が格納される。特殊効果情報格納領域２４ｂには、画像処理部３３で実行可能な複数の特殊効果と、各特殊効果が顕著に現れるアクセサリ情報とを関連させた特殊効果情報が格納される。撮影シーン組合せ情報格納領域２４ｃには、画像処理部３３で処理可能な複数の特殊効果と撮影シーン認識部３６で認識可能な複数の撮影シーンとの組合せの適合／不適合を含む撮影シーン組合せ情報が記憶される。
【００３４】
図３は、撮影シーン組合せ情報格納領域２４ｃに記憶される特殊効果と撮影シーンとの適合／不適合を含む撮影シーン組合せ情報の一例を示す図である。
【００３５】
図３において、○印は適合組合せを示し、△印は不適合組合せを示す。不適合組合せにおいて、ポップアートは、彩度を非常に高くすることから、人物を撮影すると顔の色が非常に濃くなって顔が自然に再現できないため、人物の撮影には不向きである。トイフォトは、周辺部を減光させることから、夜景のように空が暗いと減光しているかどうか認識しづらいため、夜景の撮影には不向きである。また、夜景は、全体的に暗いため、より暗くしてしまうと、写真として不自然なほど暗いイメージになりかねないため、トイフォトとは適合しない。デイドリームは、黒浮きさせる画像処理を行うため、夜景の撮影では夜景らしさが失われる可能性が高くなり、夜景の撮影には不向きである。
【００３６】
また、ＨＤＲは、複数枚の撮影画像を重ね合わせるため、動きのある被写体の撮影には不向きである。スケッチは、線画的な画像処理を行うため、空や雪面等を含む風景のような平坦な撮影には不向きである。ドラマチックトーンは、濃淡を強調するため、ある程度の平坦部がないと効果的な写真が得られない。そのため、明るい所と暗い所とが混在した夜景等の撮影には不向きである。
【００３７】
さらに、本実施の形態に係る撮像装置では、記憶部２４に、上述した不適合な組合せの理由（不適合理由）を撮影シーン組合せ情報として記憶するとともに、各特殊効果に対する推奨撮影シーンも撮影シーン組合せ情報として記憶する。ここで、推奨撮影シーンは、例えば、各特殊効果について、実際の組合せ頻度に応じて、組合せ頻度の最も高い撮影シーンを推奨撮影シーンとして決定する。
【００３８】
図２において、三脚検出部２５は、撮像装置１０のカメラボディ１１が三脚３９に固定されたか否かを検出するもので、公知の三脚検出スイッチ等で構成される。この、三脚検出部２５の検出情報は、システムコントローラ２１に供給される。
【００３９】
また、レンズコネクタ部２６は、カメラボディ１１に装着された撮影レンズ１２の種別や該撮影レンズ１２に装着されている光学フィルタ１３の種別、撮影レンズ１２の状態等を示す情報を取得するもので、その取得情報はシステムコントローラ２１に供給される。
【００４０】
撮影レンズ１２は、レンズ光学系４１、レンズ情報メモリ４２、レンズ駆動モータ４３、レンズコントローラ４４、ピント操作部４５、ズーム操作部４６、ボディコネクタ部４７、および、フィルタコネクタ部４８を有する。なお、ズーム操作部４６は、当然のことながらレンズ光学系４１がズーム機能を有する場合にのみ設けられる。レンズ情報メモリ４２には、当該撮影レンズ１２の識別情報や光学特性等のレンズ情報が格納されている。このレンズ情報は、レンズコントローラ４４およびボディコネクタ部４７を経て、カメラボディ１１のレンズコネクタ部２６からシステムコントローラ２１に供給される。
【００４１】
撮影レンズ１２は、ＡＦ機能を有する場合、システムコントローラ２１からのＡＦ制御信号が、レンズコネクタ部２６およびボディコネクタ部４７を経てレンズコントローラ４４に供給される。これより、レンズ駆動モータ４３が駆動されて、レンズ光学系４１のＡＦ動作が行われる。一方、ＡＦ機能を有しない場合や手動フォーカスモードが設定されている場合は、ピント操作部４５の操作に基づいて、レンズコントローラ４４によりレンズ駆動モータ４３が駆動されて、レンズ光学系４１のＡＦ動作が行われる。また、駆動モータ４３を駆動することなく、ユーザが手動でピント操作するようにしてもよい。
【００４２】
また、ズーム機能を有する場合において、カメラボディ１１側のズーム操作スイッチ１９ａが操作された場合は、そのズーム操作に基づいて、システムコントローラ２１からレンズコネクタ部２６およびボディコネクタ部４７を経てレンズコントローラ４４にズーム制御信号が供給される。これにより、レンズ駆動モータ４３が駆動されてレンズ光学系４１のズーム動作が行われる。一方、撮影レンズ１２側のズーム操作部４６が操作された場合は、そのズーム操作に応じてレンズコントローラ４４によりレンズ駆動モータ４３が駆動されて、レンズ光学系４１のズーム動作が行われる。
【００４３】
光学フィルタ１３は、フィルタ光学系５１、フィルタ情報メモリ５２、および、レンズコネクタ部５３を有する。フィルタ情報メモリ５２には、当該光学フィルタ１３の識別情報や光学特性等の光学フィルタ情報が格納されている。この光学フィルタ情報は、レンズコネクタ部５３から、当該光学フィルタ１３が装着されている撮影レンズ１２のフィルタコネクタ部４７、レンズコントローラ４３およびボディコネクタ部４６を経て、カメラボディ１１のレンズコネクタ部２６からシステムコントローラ２１に供給される。
【００４４】
電子ビューファインダ１６は、ボディコネクタ部５５、ＥＶＦコントローラ５６、表示駆動部５７、ＥＶＦ表示部５８、および、接眼レンズ光学系５９を有する。ＥＶＦ表示部５８は、カメラボディ１１の表示部１８と同様に、ＬＣＤパネルや有機ＥＬパネル等で構成される。この電子ビューファインダ１６は、カメラボディ１１のコネクタ部１４に装着されると、システムコントローラ２１からコネクタ部１４およびボディコネクタ部５５を経てＥＶＦコントローラ５６にライブビュー画像や撮影画像等の画像信号が供給され、その画像が表示駆動部５７を経てＥＶＦ表示部５８に表示される。これにより、ユーザは、接眼レンズ光学系５９を介して、ＥＶＦ表示部５８に表示された画像を観察することができる。
【００４５】
ストロボ装置１７は、ボディコネクタ部６１、ストロボコントローラ６２、発光駆動部６３、および、発光部６４を有する。発光部６４は、光源として、例えばキセノン管が用いられる。このストロボ装置１７は、カメラボディ１１のコネクタ部１４に装着されると、撮影動作に連動して、システムコントローラ２１からコネクタ部１４およびボディコネクタ部６１を経てストロボコントローラ６２に発光信号が供給される。これにより、発光駆動部６３を介して発光部６４が発光して被写体が照明される。
【００４６】
以下、本実施の形態に係る撮像装置１０の概略動作を説明する。
【００４７】
図４は、本実施の形態に係る撮像装置１０の全体の概略動作を示すフローチャートである。先ず、システムコントローラ２１は、電源スイッチ１５ｂのオンを検出すると、システムの初期設定を行った後（Ｓ１０１）、動作モードを判定する（Ｓ１０３）。その結果、動作モードが撮影モードの場合は、現在装着されているアクセサリの検出処理を行って、その検出したアクセサリ情報を記憶部２４のアクセサリ情報格納領域２４ａに格納する（Ｓ１０５）。
【００４８】
その後、システムコントローラ２１は、ヘルプボタン１９ｂの操作を監視する（Ｓ１０６）。その結果、ヘルプボタン１９ｂが操作されたのを検出すると、システムコントローラ２１は、撮影モードからヘルプモードに移行する。そして、システムコントローラ２１は、記憶部２４のアクセサリ情報格納領域２４ａに格納されているアクセサリ情報と、特殊効果情報格納領域２４ｂに格納されている特殊効果情報とに基づいて、推奨の特殊効果を抽出し、その抽出した推奨特殊効果を一覧として表示駆動部２７を経て表示部１８に表示する（Ｓ１０７）。その後、システムコントローラ２１は、特殊効果の設定処理を実行する（Ｓ１０８）。
【００４９】
この特殊効果の設定処理においては、例えば、推奨特殊効果の一覧表示後の所定時間内に、操作部２０による入力操作によって、表示中の特殊効果のなかから一の特殊効果が選択された場合は、その選択された特殊効果を特殊効果設定部３５により設定して、例えばシステムコントローラ２１の内部メモリに登録する。その後、システムコントローラ２１は、ヘルプモードから撮影モードに移行して、レリーズ操作の有無を監視する（Ｓ１１２）。これに対し、所定時間内に特殊効果が設定されなかった場合は、所定時間が経過した時点で推奨特殊効果の一覧表示を消去し、これによりヘルプモードから撮影モードに移行して、Ｓ１１２においてレリーズ操作の有無を監視する。
【００５０】
なお、Ｓ１０６においてヘルプボタン１９ｂが操作されていない場合、システムコントローラ２１は、撮影モードのまま、Ｓ１１２においてレリーズ操作の有無を監視する。また、システムコントローラ２１は、撮影モード中にヘルプボタン１９ｂが操作される毎、ヘルプモードに移行して、上記の処理を実行する。
【００５１】
システムコントローラ２１は、Ｓ１１２においてレリーズ操作の有無の監視を開始するまでに、適宜のタイミングで、現在のアクセサリの装着状態で得られるライブビュー画像を、表示駆動部２７を経て表示部１８に表示する。そして、Ｓ１１２においてレリーズ操作が検出されるまで、ライブビュー画像の表示を継続する。
【００５２】
そのため、システムコントローラ２１は、先ず、ＡＥ制御部３１でＡＥ制御を行いながら（Ｓ１１３）、撮像部２２で被写体を撮影し（Ｓ１１４）、その撮影画像を画像処理部３３で画像処理して（Ｓ１１５）、表示部１８に表示する（Ｓ１１６）。また、システムコントローラ２１は、撮影シーン認識部３６により撮影画像から撮影シーンを認識する（Ｓ１１７）。そして、不適合報知制御部３７において、記憶部２４の撮影シーン組合せ情報格納領域２４ｃに記憶されている撮影シーン組合せ情報をチェックして（Ｓ１１８）、特殊効果設定部３５で設定された特殊効果に対する撮影シーン認識部３６で認識された撮影シーンの適合／不適合を判定する（Ｓ１１９）。
【００５３】
その結果、不適合の場合、不適合報知制御部３７は、不適合報知を行う（Ｓ１２０）。不適合報知は、例えば、表示部１８に所定のオブジェクトを点滅表示したり、スピーカからビープ音を鳴らしたり、偏心モータや圧電素子によりカメラボディ１１を振動させたり、して実行される。あるいは、不適合報知とともに、記憶部２４の撮影シーン組合せ情報格納領域２４ｃに記憶されている、対応する不適合理由や推奨撮影シーンを表示部１８に表示する。なお、不適合理由は、不適合報知後、操作部２０による所定の入力操作の受け付けに同期して、表示部１８に表示してもよい。
【００５４】
その後、システムコントローラ２１は、電源スイッチ１５ｂのオフ操作の有無を監視し（Ｓ１２１）、オフ操作がされていない場合は、Ｓ１１２に移行して上記の動作を繰り返し、オフ操作がされている場合は、システムの停止設定を行って（Ｓ１２２）、動作を終了する。
【００５５】
これに対し、Ｓ１１９での判定の結果、撮影シーン認識部３６で認識された撮影シーンが、特殊効果設定部３５で設定された特殊効果に適合する場合、システムコントローラ２１は、不適合報知制御部３７により不適合報知を行うことなくＳ１２１へ移行する。
【００５６】
一方、システムコントローラ２１は、Ｓ１１２においてレリーズ操作を検出すると、静止画像の撮影処理を実行する（Ｓ１２３）。この際、特殊効果の中でもフィルタ処理を伴わない特殊効果、例えば露光中フォーカス移動効果が設定されている場合は、その特殊効果に応じた撮影動作を実行する。
【００５７】
その後、システムコントローラ２１は、フィルタ処理を伴う特殊効果が設定されているか否かを判定する（Ｓ１２４）。その結果、フィルタ処理を伴う特殊効果が設定されていると判定された場合は、画像処理部３３において当該特殊効果に応じて、フィルタ処理部３４による所要のフィルタ処理を実行する（Ｓ１２５）。そして、特殊効果が付加された画像データを、カードメモリ部２３の記録媒体または記憶部２４に画像ファイルとして記録する（Ｓ１２６）。この際、特殊効果が付加された画像データにおける撮影シーンが、Ｓ１１９において不適合と判定されたものである場合は、必要に応じて、その結果も同時に記録する。これにより、後の編集や再生モード等において、不適合な組合せによる特殊効果画像であることを把握することが可能となる。
【００５８】
これに対し、Ｓ１２４において、フィルタ処理を伴う特殊効果が設定されていないと判定された場合は、画像処理部３３において通常の画像処理を実行して、Ｓ１２６において取得された画像データを画像ファイルとして記録する。
【００５９】
システムコントローラ２１は、Ｓ１２６において撮影画像の画像ファイルを格納すると、その撮影画像をユーザに確認させるために表示部１８に一時的に表示し（Ｓ１２７）、その後、Ｓ１２１に移行する。
【００６０】
なお、Ｓ１０３において、動作モードが再生モードの場合、システムコントローラ２１は、カードメモリ部２３に装着されている記録媒体に格納されている画像ファイル、あるいは、記憶部２４に格納されている画像ファイルの再生動作を実行して（Ｓ１２９）、Ｓ１２１に移行する。
【００６１】
以上説明した第１実施の形態に係る撮像装置１０によると、不適合報知制御部３７において、特殊効果設定部３５で設定された特殊効果に対して撮影シーン認識部３６で認識された撮影シーンが不適合と判定されると、不適合報知がなされる。これにより、ユーザは、撮影シーンを適合する撮影シーンに変更することが可能となる。したがって、ユーザは、特殊効果に適合する撮影シーンを覚えるという負担を強いられることなく、期待した効果がかかった写真を容易に撮影することが可能となる。
【００６２】
（第２実施の形態）
図５は、本発明の第２実施の形態に係る撮像装置の内部の概略構成を示す機能ブロック図である。この撮像装置７０は、図２に示した構成において、システムコントローラ２１に接続された通信インタフェース（Ｉ／Ｆ）２８をさらに備える。通信Ｉ／Ｆ２８は、パーソナルコンピュータやネットワークに接続可能で、システムコントローラ２１の制御のもとに、接続先のパーソナルコンピュータや、ネットワーク上のサーバから実行可能な特殊効果情報、認識可能な撮影シーン情報、特殊効果と撮影シーンとの適合／不適合情報、不適合理由、推奨撮影シーン等の撮影シーン組合せ情報の更新情報を取得する。これにより、記憶部２４に記憶されている対応する情報を更新する。その他の構成および動作は、第１実施の形態と同様である。
【００６３】
このように構成すれば、次々と開発あるいは改良される最新の撮影シーン組合せ情報を容易に取得して更新することが可能となる。
【００６４】
なお、本発明は、上記実施の形態に限定されるものではなく、幾多の変形または変更が可能である。例えば、撮影シーン認識部３６による撮影シーンの認識処理は、撮像部２２からの画像データに限らず、ＧＰＳ（Global Positioning System）からの撮影場所情報、日付情報から得られる撮影時間や季節等の情報を利用して認識することも可能である。また、特殊効果と撮影シーンとの組合せが不適合と判定された場合、レリーズボタン１５ａを押しにくくする等して、ユーザに対して撮影シーンや特殊効果の変更を促すようにすることもできる。
【００６５】
また、第２実施の形態のように、通信Ｉ／Ｆ２８を有する場合は、例えば通信Ｉ／Ｆ２８を介してパーソナルコンピュータやサーバ等の外部処理装置と接続して、特殊効果の全部または一部を外部処理装置で実行させて、外部処理装置から特殊効果が付加された画像ファイルを取得するように構成することもできる。さらに、第２実施の形態における撮影シーン組合せ情報の更新は、例えば、カードメモリ部２３に装着可能な記録媒体を介して実行するように構成することもできる。この場合は、例えば、記録媒体をパソコン等に装着して、パソコン等を介してサーバ等から更新情報を記録媒体にダウンロードし、その後、記録媒体をカードメモリ部２３に装着して、当該記録媒体にダウンロードされた更新情報を読み取って、記録部２４の撮影シーン組合せ情報を更新する。
【符号の説明】
【００６６】
１０  撮像装置
１１  カメラボディ
１２  撮影レンズ
１６  電子ビューファインダ
１８  表示部
１９ｂ  ヘルプボタン
２０  操作部
２１  システムコントローラ
２２  撮像部
２４  記憶部
２４ｂ  特殊効果情報格納領域
２４ｃ  撮影シーン組合せ情報格納領域
２７  表示駆動部
２８  通信インタフェース
３３  画像処理部
３４  フィルタ処理部
３５  特殊効果設定部
３６  撮影シーン認識部
３７  不適合報知制御部
７０  撮像装置
【図１】
0005498316.tif 000002
【図２】
0005498316.tif 000003
【図３】
0005498316.tif 000004
【図４】
0005498316.tif 000005
【図５】
0005498316.tif 000006